(57)【要約】      （修正有）【課題】サラウンド音響効果を実現し、かつ占用空間が小さく、多機能化を実現することができる自動車内バックミラーを提供する。【解決手段】自動車内バックミラーは、バックミラー本体１を含み、前記バックミラー本体１には、中央チャンネル音源の供給に用いる中央音響ホーン装置２が設けられる。中央音響ホーン装置２は、連結機構および連結機構上に固定される複数のホーン４を有し、連結機構は、バックミラー本体１上を覆って固設され、複数のホーン４と自動車音響本体が電気的に接続されている。【選択図】図１
0003164802.tif 000002
【実用新案登録請求の範囲】
【請求項１】
バックミラー本体（１）を含む自動車内バックミラーであって、前記バックミラー本体（１）には中央チャンネル音源の供給に用いる中央音響ホーン装置（２）が設けられていることを特徴とする自動車内バックミラー。
【請求項２】
前記中央音響ホーン装置（２）は、連結機構（３）および前記連結機構（３）上に固定されている複数のホーン（４）を有し、前記連結機構（３）は前記バックミラー本体（１）上を覆って固設され、前記複数のホーン（４）と自動車音響本体が電気的に接続されていることを特徴とする請求項１に記載の自動車内バックミラー。
【請求項３】
前記複数のホーン（４）は、順番に配列されている低音ホーン（４１）、中高音ホーン（４２）、高音ホーン（４３）および中音ホーン（４４）を含むことを特徴とする請求項２に記載の自動車内バックミラー。
【請求項４】
前記連結機構（３）は、第１接続部材（３１）、第２接続部材（３２）および移動可能な係合モジュール（３３）を含み、前記第１接続部材（３１）にはバックミラー収納空間（３１１）および複数の固定孔（３１３）が設けられ、前記複数の固定孔（３１３）は前記バックミラー収納空間（３１１）の上方に位置し、前記複数のホーン（４）は前記固定孔（３１３）に挿設され、前記第２接続部材（３２）は前記第１接続部材（３１）の前上方に固定され、前記移動可能な係合モジュール（３３）は前記第２接続部材（３２）上に固定され、かつ、前記バックミラー本体（１）とは移動可能に係合されていることを特徴とする請求項３に記載の自動車内バックミラー。
【請求項５】
前記第１接続部材（３１）の両端の下部にそれぞれ係止フック（３１４）が設けられ、前記バックミラー本体（１）は前記係止フック（３１４）上に配置されていることを特徴とする請求項４に記載の自動車内バックミラー。
【請求項６】
前記第１接続部材（３１）の前部には保護網（５）が固定され、前記保護網（５）は前記複数のホーン（４）上を覆って設置されていることを特徴とする請求項４に記載の自動車内バックミラー。
【請求項７】
前記第２接続部材（３２）の前表面には少なくとも１つの収納溝（３２４）が設けられ、かつ前記収納溝（３２４）に対応する前記移動可能な係合モジュール（３３）が固定され；前記移動可能な係合モジュール（３３）には移動可能な係止フック（３３１）、バネ（３３２）および被覆板（３３３）が設けられ、前記移動可能な係止フック（３３１）の上端と前記収納溝（３２４）の溝壁が係合され、前記移動可能な係止フック（３３１）の下端は前記バックミラー本体（１）の前部に延伸し、前記バネ（３３２）は前記収納溝（３２４）内に収納され、前記バネ（３３２）の両端は、それぞれ前記収納溝（３２４）の上部の溝壁および前記移動可能な係止フック（３３１）の上端に当接され、前記被覆板（３３３）は前記第２接続部材（３２）上に固定され、かつ、前記収納溝（３２４）を被覆していることを特徴とする請求項４に記載の自動車内バックミラー。
【請求項８】
前記収納溝（３２４）の上部の溝壁は、下向きに延伸してコラム（３２２）を形成し、前記バネ（３３２）の上端は前記コラム（３２２）上を覆って設置されていることを特徴とする請求項７に記載の自動車内バックミラー。
【請求項９】
前記移動可能な係止フック（３３１）は、延伸アーム（３３４）、凸部（３３５）および２つの係合部（３３６）を有し、前記延伸アーム（３３４）の上端は上向きに延伸して前記突出部（３３５）を形成し、前記延伸アーム（３３４）の上部両側は外向きに延伸して前記係合部（３３６）を形成し、前記延伸アーム（３３４）の上端、前記突出部（３３５）および２つの係合部（３３６）は前記収納溝（３２４）内に収納され、前記延伸アーム（３３４）の下端は前記バックミラー本体（１）の前部に延伸し、前記バネ（３３２）の下端は前記突出部（３３５）上を覆って設置され、前記係合部（３３６）と前記収納溝（３２４）の溝壁が係合されていることを特徴とする請求項８に記載の自動車内バックミラー。
【考案の詳細な説明】
【技術分野】
【０００１】
本考案はバックミラーに関し、特に自動車内バックミラーに関連する。
【背景技術】
【０００２】
既存の自動車内バックミラーは固定フレーム、固定蓋およびガイディングミラーを含み、前記固定蓋は前記固定フレームに連結され、前記ガイディングミラーは前記固定蓋上に取付けられている。前記自動車内バックミラーは、前記自動車前部のウインドシールドガラス上に取付けられ、前記自動車内バックミラーを通じて自動車後部の物体を運転手の可視範囲内に反射することで、運転手が自動車後部の物体を観察できる目的に達するが、既存の自動車内バックミラーの性能が単一である。既存の自動車音響は、前部左ホーン、前部右ホーン、後部左ホーン、後部右ホーン、中央ホーンおよび自動車音響本体を含み、前記中央ホーンは運転席右方の乗客足踏み箇所に取付けられ、これにより、劇場の音場効果をシミュレーションすることができる。しかし、前記中央ホーンが運転席右方の乗客足踏み箇所に取付けられているため、占用空間が大きくて、音響効果が理想的ではない。
【考案の概要】
【考案が解決しようとする課題】
【０００３】
本考案は、従来技術の上記欠陥を鑑みて、サウンド音響効果を実現し、占用空間が小さくて、かつ、多機能である自動車内バックミラーを提供する。
【課題を解決するための手段】
【０００４】
前記目的を達成するために、本考案は自動車内バックミラーを公開し、該バックミラーは、バックミラー本体を含み、前記バッグミラー本体には中央チャンネル音源の供給に用いる中央音響ホーン装置が設けられている。
【０００５】
更に、前記中央音響ホーン装置は、連結機構および前記連結機構に固定される複数のホーンを有し、前記連結機構は、前記バックミラー本体上を覆って固設され、前記複数のホーンと自動車音響本体が電気的に接続されている。
更に、前記複数のホーンは順番に配列される低音ホーン、中高音ホーン、高音ホーンおよび中音ホーンを含む。
【０００６】
更に、前記連結機構は第１接続部材、第２接続部材および移動可能な係合モジュールを有し、前記第１接続部材にはバッグミラー収納空間および複数の固定孔が設けられており、前記複数の固定孔はバッグミラー収納空間の上方に位置し、前記複数のホーンは前記固定孔内に挿設されており；前記第２接続部材は、前記第１接続部材の前上方に固定されており；前記移動可能な係合モジュールは、前記第２接続部材上に固定され、かつ、前記バックミラー本体に移動可能に係合されている。
更に、前記第１接続部材の両端の下部には係止フックが設けられており、前記バックミラーは前記係止フック上に配置されている。
更に、前記第１接続部材の前部には保護網が固定され、前記保護網は前記複数のホーン上を覆って設置されている。
【０００７】
更に、前記第２接続部材の前表面には少なくとも収納溝が設けられ、かつ、前記収納溝に対応する前記移動可能な係合モジュールが固定されており；前記移動可能な係合モジュールにはバネ、移動可能な係止フックおよび被覆板が設けられ、前記バネは、前記収納溝内に収納され、前記バネの両端は、それぞれ前記収納溝の上部の溝壁および前記移動可能な係止フックの上端に当接されており；前記移動可能な係止フックの上端および前記収納溝の溝壁が係合し、前記移動可能な係止フックの下端は、前記バックミラー本体の前部に延びており；前記被覆板は前記第２接続部材上に固定されて前記収納溝を覆うようになっている。
更に、前記収納溝の上部の溝壁は下向きに延伸してコラムを形成し、前記バネの上端は前記コラム上を覆って設置されている。
【０００８】
更に、前記移動可能な係止フックは、延伸アーム、突出部および２つの係合部を有し、前記延伸アームの上端は、上向きに延伸して前記突出部を形成し、前記延伸アームの上部の両側は外向きに延伸して前記係合部を形成し、前記延伸アームの上端、前記突出部および２つの係合部は前記収納溝内に収納され、前記延伸アームの下端は前記バックミラー本体の前部に延伸され、前記バネの下端は前記突出部上を覆って設置され、前記係合部および前記収納溝の溝壁が係合するようになっている。
【考案の効果】
【０００９】
上述のように、本考案では、前記バックミラー本体に中央チャンネル音源の供給に用いる中央音響ホーン装置を設置し、前記中央音響ホーン装置および自動車内の他の異なる箇所のホーンにより出力される音源が適合することで、サラウンド音響効果を実現し、かつ、占用空間が小さく、多機能化を実現することができる。
【図面の簡単な説明】
【００１０】
【図１】本考案の１つの実施例を示す。
【図２】図１に示す本考案の１つの実施例を異なる視角で示した図示である。
【図３】図１に示す本考案の１つの実施例の被覆板を取除いた後の構造を示す。
【図４】図１に示す本考案の１つの実施例の連結機構を示す分解図である。
【考案を実施するための形態】
【００１１】
本考案の特徴、技術手段および達成する具体的な目的、性能を更に理解するために、下記では図面および具体的な実施方式を結合して本考案に対して更に詳細に説明する。
【００１２】
図１から図４に示すように、本考案の自動車内バックミラーは、バックミラー本体１および中央音響ホーン装置２を含み、前記バックミラー本体１は、自動車前部のウインドシールドガラス上に取付けられ、かつ、自動車後部の物体を運転手の可視範囲内に反射させることで、運転手が自動車後部の物体を観察することができる。
【００１３】
前記中央音響ホーン装置２は、中央チャンネル音源の供給に用いられ、連結機構３および前記連結機構３に固定される複数のホーン４を有する。前記連結機構３は、第１接続部材３１、第２接続部材３２および移動可能な係合モジュール３３を有し、前記第１接続部材３１には、バックミラー収納空間３１１、係止溝３１２および複数の固定孔３１３が設けられ、前記バックミラー収納空間３１１は、前記第１接続部材３１の前表面および後表面を貫通し、前記係止溝３１２は、前記バックミラー収納空間３１１の上方に位置し、前記係止溝３１２の溝壁は、前方に向かって凹んで前記複数の固定孔３１３を形成し、前記複数の固定孔３１３は、前記バックミラー収納空間３１１の上方に位置する。
【００１４】
前記複数のホーン４と自動車音響本体は電気的に接続して、それぞれ前記固定孔３１３内に挿固され、前記複数のホーン４は順番に配列される低音ホーン４１、中高音ホーン４２、高音ホーン４３および中音ホーン４４を含む。前記第１接続部材３１の前部には保護網５が固定され、前記保護網５は前記係止溝３１２内に収納されて前記複数のホーン４上を覆って設置される。前記第１接続部材３１の両端の下部には係止フック３１４が設けられ、前記係止フック３１４は前上方に向かって延伸する円弧形を呈し、前記バックミラー本体１は前記係止フック３１４上に配置され、前記バックミラー本体１の後部は前記バックミラー収納空間３１１内に収納される。
【００１５】
前記第２接続部材３２は前記第１接続部材３１の前方に位置し、前記第２接続部材３２の前表面の両端には収納溝３２１が設けられ、前記収納溝３２１は下向きに延伸して前記第２接続部材３２の下表面に連通され、前記収納溝３２１の上部の溝壁は下向きに延伸してコラム３２２を形成する。前記第２接続部材３２の後表面には、前記第２接続部材３２の長手方向に沿って伸びる係合溝３２３が設けられており、前記複数のホーン４の前端は前記係合溝３２３内に収納され、前記係合溝３２３の溝壁は後向きに延伸して複数の固定柱３２４を形成し、前記第２接続部材３２は前記固定柱３２４を通じて前記第１接続部材３１の前上方に固定される。
【００１６】
前記移動可能な係合モジュール３３は前記収納溝３２１に対応し、前記移動可能な係合モジュール３３には移動可能な係止フック３３１、バネ３３２および被覆板３３３が設けられている。前記移動可能な係止フック３３１は延伸アーム３３４、突出部３３５および２つの係合部３３６を有し、前記延伸アーム３３４の上端は上向きに延伸して前記突出部３３５を形成し、前記延伸アーム３３４の上部の両側は外向きに延伸して前記係合部３３６を形成し、前記延伸アーム３３４の上端、前記突出部３３５および２つの係合部３３６は前記収納溝３２１内に収納される。前記延伸アーム３３４の下端は前記バックミラー本体１の前部に延伸され、前記係合部３３６および前記収納溝３２１の溝壁が係合し、即ち、前記移動可能な係止フック３３１の上端は係合部３３を通じて前記収納溝３２１の溝壁に係合し、前記移動可能な係止フック３３１の下端は前記バックミラー本体１の前部までに延伸されている。
【００１７】
前記バネ３３２は前記収納溝３２１内に収納され、前記バネ３３２の上端および下端はそれぞれ前記コラム３２２および前記突出部３３５上を覆って設置され、かつ、それぞれ前記収納溝３２１の上部の溝壁および前記移動可能な係止フック３３１の上端に当接する。前記被覆板３３３は前記第２接続部材３２上に固定されて前記収納溝３２１を被覆するため、前記移動可能な係合モジュール３３が前記第２接続部材３２に固定されて前記バックミラー本体１とは移動可能に係合する形式を形成し、最終的に前記連結機構３が前記バックミラー本体１上に取り付けられるようになる。
上述のように、本考案は前記バックミラー本体１に中央チャンネル音源の供給に用いる中央音響ホーン装置を設置し、前記中央音響ホーン装置２および自動車内の他の異なる箇所のホーンにより出力される音源が適合することで、サラウンド音響効果を実現し、かつ占用空間が小さくて、多機能化を実現することができる。
【００１８】
上述の実施例は、本考案の１つの好ましい実施方式であり、その表現が比較的に具体的かつ詳細であるが、本考案の技術範囲に対して制限することではなく、本考案の技術分野における通常の知識を有する技術者として、本考案の構想を離れない限り、更に複数の変形および改良を行うことができ、これらは全て本考案の保護範囲に属する。そのため、本考案の保護範囲は実用新案登録請求の範囲を基準にする。
【図１】
0003164802.tif 000003
【図２】
0003164802.tif 000004
【図３】
0003164802.tif 000005
【図４】
0003164802.tif 000006